(57)【特許請求の範囲】
【請求項１】
玉貸機の玉案内体を介して排出されるパチンコ玉及び景品玉払出装置から排出されるパチンコ玉を受け止め貯留するパチンコ機の玉受皿において、
前記玉受皿の底面は、前記玉案内体の玉出口及び前記景品玉払出装置の景品玉排出口に臨み、該玉出口から真下に向かって落下するように排出されるパチンコ玉及び景品玉排出口から当該玉受皿の前端部に向かって流下するように排出されるパチンコ玉を受け止めるために前記景品玉排出口の左右長手方向の長さよりも大きく形成される所定部分を、当該玉受皿のパチンコ機本体に接する後端部側から前縁部側に向かう途中の位置までの断面側方視が水平となる水平底面として形成すると共に該水平底面に連続して当該玉受皿の前縁部までを登り傾斜となる傾斜底面として形成し、
前記玉出口から排出されるパチンコ玉の一部を前記傾斜底面で受け止めることを特徴とするパチンコ機の玉受皿。
【発明の詳細な説明】
【０００１】
【発明の属する技術分野】
本発明は、パチンコ遊技によって獲得されたパチンコ玉を受け止め貯留するパチンコ機の玉受皿に関するものである。
【０００２】
【従来の技術】
従来より、パチンコ機の前面下部には、図１１乃至図１３に示すように、玉貸機の玉案内体１３１から貸し出されたパチンコ玉や、パチンコ遊技によって獲得された景品玉であるパチンコ玉を受け止め貯留する、玉受皿としての上皿１０９と称されるものが設けられている。
【０００３】
前記上皿１０９の底面は、発射装置のある右側に向かって下り傾斜するよう形成されると共に、下流側へ向かうにつれ徐々に流路幅が狭められ、さらに傾斜壁１１４ｋの作用により、最終的にパチンコ玉を整流部１１５上に一列に整列させるようになっている。なお傾斜壁１１４ｋは、上皿１０９底面とカバー部１１４との間に設けられた部材で、所定の傾斜角度（カバー部１１４から上皿１０９底面に向かって下り傾斜）で形成されパチンコ玉を整流部１１５へ流下させるようになっている。また、上皿１０９の下流底面を流下するパチンコ玉になるほど、上流側のパチンコ玉から受ける玉圧が大きくなるため、玉圧によってパチンコ玉がブリッジを起こし、玉流れが悪くなったり玉詰まりを起こすことがあった。そのため、上皿１０９の底面は、上記したように右側に向かって傾斜されているが、玉圧を少しでも減らす為、図１１のＪ−Ｊ断面図を示す図１２を参照しても分かるように、その断面方向では略水平に造られ水平底面１１１を形成していた。
【０００４】
また、玉貸機から貸し出されたパチンコ玉Ｐ１、Ｐ２、Ｐ３は、玉貸機の玉出口１３２から上皿１０９の水平底面１１１へ落下するように排出されていた。そのため、パチンコ玉が水平底面１１１上で跳ねて上皿１０９の外側に跳び出してしまわないよう、上皿１０９の上部へ折り返し部１１２を設けていた。
【０００５】
【発明が解決しようとする課題】
しかし、玉貸機の玉出口１３２高さと、パチンコ機の水平底面１１１高さは、種類やメーカにより、若干異なっているため、玉貸機の玉出口１３２とパチンコ機の水平底面１１１との間隔が空いてしまうことがあった。この場合、玉貸機の玉出口１３２から排出されたパチンコ玉がパチンコ機の水平底面１１１で跳ね上がる量が増え、例え上記したように上皿上部へ折り返し部１１２を設けていても、パチンコ玉が上皿１０９の外側に跳び出してしまうことがあり、遊技客に不利益を与えていた。
【０００６】
つまり、図１３に示すように、玉貸機の玉出口１３２から貸し出されたパチンコ玉は、パチンコ機の水平底面１１１上で跳ね上がるとき、パチンコ玉Ｐ２のように垂直方向に跳ね上がるパチンコ玉だけではなく、左側や右側に向かって跳ね上がるパチンコ玉Ｐ１、Ｐ３があるので、このとき、右側に向かって跳ねたパチンコ玉Ｐ３が上皿１０９の外側へ跳び出してしまうのである。
【０００７】
また、従来の上皿１０９では、上述した理由と略同様な理由により、パチンコ遊技において入賞したことにより、図示しない景品玉払出装置から払い出される景品玉が、景品玉排出口３より勢いよく排出されたときにおいても、上皿１０９の外側へパチンコ玉が跳び出すことがあった。
【０００８】
本発明は、この様な事情を鑑みなされたものであり、その目的は、玉受皿底面の形状を変更することで、従来の整流機能を維持しつつ、玉貸機からパチンコ玉が貸し出された時等、玉受皿に対しパチンコ玉が排出された時にパチンコ玉が玉受皿から外側へ跳び出してしまうことを防止するようにしたパチンコ機の玉受皿を提供することである。
【０００９】
【課題を解決するための手段及び発明の効果】
上記の目的を達成するためになされた本発明のパチンコ機の玉受皿は、請求項１に記載されているように、玉貸機の玉案内体を介して排出されるパチンコ玉及び景品玉払出装置から排出されるパチンコ玉を受け止め貯留するパチンコ機の玉受皿において、前記玉受皿の底面は、前記玉案内体の玉出口及び前記景品玉払出装置の景品玉排出口に臨み、該玉出口から真下に向かって落下するように排出されるパチンコ玉及び景品玉排出口から当該玉受皿の前端部に向かって流下するように排出されるパチンコ玉を受け止めるために前記景品玉排出口の左右長手方向の長さよりも大きく形成される所定部分を、当該玉受皿のパチンコ機本体に接する後端部側から前縁部側に向かう途中の位置までの断面側方視が水平となる水平底面として形成すると共に該水平底面に連続して当該玉受皿の前縁部までを登り傾斜となる傾斜底面として形成し、前記玉出口から排出されるパチンコ玉の一部を前記傾斜底面で受け止めることを特徴とする。
【００１０】
【００１１】
【００１２】
【００１３】
【００１４】
【００１５】
【００１６】
請求項１に記載のパチンコ機の玉受皿では、玉貸機の玉案内体の玉出口から真下に向かって落下するように排出されたパチンコ玉及び景品玉払出装置の景品玉排出口から当該玉受皿の前端部に向かって流下するように排出されたパチンコ玉を受け止めるために景品玉排出口の左右長手方向の長さよりも大きく形成される玉受皿底面の所定部分を、当該玉受皿のパチンコ機本体に接する後端部側から前縁部側に向かう途中の位置までの断面側方視が水平となる水平底面として形成すると共に該水平底面に連続して当該玉受皿の前縁部までを登り傾斜となる傾斜底面として形成し、前記玉出口から排出されるパチンコ玉の一部を前記傾斜底面で受け止めることにより、当該玉案内体の玉出口から排出されたパチンコ玉は、玉受皿底面部分のパチンコ機本体から遠い側で跳ね上がるときには、傾斜底面の作用により、パチンコ機本体側へ跳ねるようになる。そして、パチンコ機本体側はガラス枠等の壁面で覆われているので、例え、パチンコ玉が大きく跳ね上がったとしても、壁面に当たって再び玉受皿へ戻ってくるため、パチンコ玉が玉受皿外側へ跳び出すことはない。
【００１７】
一方、玉受皿底面部分のパチンコ機本体側で跳ね上がったパチンコ玉は、例え、遊技領域外側へ向かったとしても、玉受皿の外側まで距離があるため玉受皿の外側に跳び出すことはない。その結果、遊技者は玉受皿からのパチンコ玉の跳び出しを気にすることなく、遊技を行うことができる。
【００１８】
また、傾斜底面が少なくなると共にパチンコ機本体から遠い側に設けられるので、玉受皿の下流側を流下するパチンコ玉、特にパチンコ機本体側にある整流部上にあるパチンコ玉に対する玉圧を最小限におさえることができ、玉流れが悪くなったり、いわゆるブリッジ等の玉詰まり現象を起こすことはなく、玉受皿の設計が容易に行うことができる。
【００１９】
【００２０】
【００２１】
【００２２】
【００２３】
【００２４】
【００２５】
【００２６】
【００２７】
【００２８】
【００２９】
【００３０】
【００３１】
【発明の実施の形態】
パチンコ機１の玉受皿における第１実施例を図面に基づいて説明する。なお、この第１実施例は、本願発明を具体化した実施例（後に詳述する第２実施例）に類似する実施例である。
【００３２】
図１はパチンコ機１及び玉貸機３０を正面から見た全体斜視図を示したものであり、パチンコ機１の前面中央の上方には遊技領域２が設けられ、遊技領域２の下方に景品玉排出口３が設けられている。また、前記景品玉排出口３の前方には、パチンコ機１本体の前面から突出するように玉受皿としての上皿９が設置されている。
【００３３】
玉貸機３０は、パチンコ機１の左側に設置されるもので、玉貸機３０の前面に玉案内体３１が付設されており、玉案内体３１の先端部が右横方向を向く位置から、前方向を向く位置（略９０度の範囲）まで回動可能になっている。また、玉案内体３１の玉出口３２は、該玉案内体３１の先端部が右横方向を向く位置へ回動したとき、パチンコ機１の上皿９上方から臨んだ状態になる。この状態において、玉貸機３０本体の図示しない硬貨投入口へ硬貨を投入（もしくはカード投入口へカードを投入）すると、玉案内体３１を介して玉貸機３０本体から貸し出されるパチンコ玉が、玉貸機３０の玉出口３２からパチンコ機１の上皿９へ排出されるようになっている。
【００３４】
図２は本実施例の上皿９平面図を示したもので、パチンコ玉を貯留する上皿底面（傾斜底面１０及び水平底面１１）とカバー部１４と傾斜壁１４ｋとが設けられている。また、上皿底面（傾斜底面１０及び水平底面１１）は右側に向けて傾斜されており、その先にはステンレス製の整流部１５が設けられ、前述したようにパチンコ玉を玉１個分の幅に整列させながら、打球位置に導くようになっている。また、後に詳述する傾斜底面１０は、前記玉案内体３１の玉出口３２に少なくとも対応する上皿９の所定部位（図２におけるハッチング部分）に形成されていると共に、後述する景品玉排出口３の長手方向の長さ（図２における左右方向の長さ）よりも大きく形成されている。
【００３５】
図３は、図２におけるＡ−Ａ断面図であり、上皿９の左側は、遊技者が遊技を行う遊技領域２があると共に、遊技によって獲得された景品玉の出口である景品玉排出口３が設けられ、対向する前記カバー部１４には、パチンコ玉の跳び出しを防止する折り返し部１２が設けられている。そして、本実施例の主旨である上皿９の傾斜底面１０は、前記遊技領域２側（図面左側）から前記折り返し部１２側（図面右側）に向かって、緩やかな登り傾斜が設けられている。補足説明をすると、水平なラインであるＬに対し、本実施例の傾斜底面１０のラインはＨであり、およそ５分程度の傾斜が設けられている。
【００３６】
また、傾斜底面１０と水平底面１１の境目である境界部１３（図２参照）について、図２のＡＸ−ＡＸ断面図を示す図４を参照して説明すると、図のように、遊技領域２側から折り返し部１２側に向かうにつれ、徐々に傾斜底面１０と水平底面１１との段差Ｘａが大きくなっている。
【００３７】
以上説明した第１実施例の上皿９によれば、既存の上皿にもあった折り返し部１２に加え、パチンコ機１の遊技領域２側が低くなるよう傾斜底面１０を設けたため、図３に示すように、玉貸機３０の玉出口３２から排出されたパチンコ玉Ｐ１、Ｐ２、Ｐ３は、上皿９の底面で跳ね上がった時には、遊技領域２側に向かって跳ねることとなる。遊技領域２側には、図示しないガラス枠やガラス等の壁面があるため、当該跳ね上がったパチンコ玉Ｐ１、Ｐ２、Ｐ３は、例え、折り返し部１２以上の高さで跳ねたとしても、それら壁面に衝突して再び上皿９内に落下するので、上皿９の外側に跳び出すことがない。その結果、遊技者は、上皿９からのパチンコ玉の跳び出しを気にすることなく、遊技を行うことができる。
【００３８】
また、傾斜底面１０の傾斜角度を５分としたため、後述するように景品玉排出口３から払い出されるパチンコ玉の流れを阻害することなく上皿９においてスムースな玉の流れを実現することができる。
【００３９】
また、傾斜底面１０を上皿底面の所定部位（図２に示すハッチング部分）にのみ設けたので、上皿底面の下流側を流下するパチンコ玉に対する玉圧を最小限におさえることができ、上皿９において玉流れが悪くなったり、いわゆるブリッジ等の玉詰まり現象を起こすことはない。
【００４０】
さらに、傾斜底面１０と水平底面１１との境目に段差Ｘａが生じることで（図４参照）、パチンコ玉が傾斜底面１０から水平底面１１に流下する際、玉流れに勢いが付き、その勢いによって整流部１５までの玉流れが良くなる。また、段差Ｘａは、遊技領域２側から折り返し部１２側に向かうにつれ、徐々に大きくなっているので、上皿底面の下流側を流下するパチンコ玉、特に遊技領域２側にある整流部１５上にあるパチンコ玉に対する玉圧を最小限におさえることができ、上皿９において玉流れが悪くなったり、いわゆるブリッジ等の玉詰まり現象を起こすことはない。
【００４１】
なお、第１実施例では、傾斜底面１０の傾斜角度を５分としたが、これは限定することなく、おおよそ３分〜５分程度であればよい。それは次の理由による。
【００４２】
すなわち、傾斜底面１０上にあるパチンコ玉は、傾斜底面１０の傾斜のため、遊技領域２側（図３における左側）に転がる。そして、景品玉排出口３からパチンコ玉の払い出しがあると、遊技領域２側に寄ったパチンコ玉と景品玉排出口３から払い出されてくるパチンコ玉とが衝突することになる。このとき、傾斜底面１０による傾斜角度が大きすぎると、景品玉排出口３から払い出されるパチンコ玉の流れを阻害し、玉流れが悪くなり玉詰まりの原因となるからである。
【００４３】
また、傾斜底面１０は、本実施例では平面で形成したが、アール状（曲面）であっても良い。このようにしても、所定の傾斜角度が設けてあれば、平面と同様な効果が得られる。
【００４４】
また、傾斜底面１０は、上皿９の所定部位（図２におけるハッチング部分）に形成したが、これは、玉貸機３０の玉出口３２から排出されるパチンコ玉を受けることができる大きさを有していれば、どの程度であってもかまわない。好ましくは、傾斜による玉圧を考え、整流部１５近傍へは傾斜底面１０を設けない方が良いが、傾斜角度が３〜５分であれば特に問題はない。
【００４５】
また、傾斜底面１０と水平底面１１の境目である境界部１３に段差Ｘａを設けたが、この段差Ｘａのかわりに、傾斜底面１０と水平底面１１の境目をアール状面や斜面にて形成しても良い。このようにしても、段差Ｘａと同様な効果が得られる。
【００４６】
図５は、本発明を具体化した実施例である第２実施例の上皿９ａ平面図であり、図６は、図５におけるＢ−Ｂ断面図である。なお、第２実施例において、第１実施例と同様な構成については、その説明を省略する。図６において、本実施例の主旨である上皿９ａの底面は、前記遊技領域２側（図面左側）から前記折り返し部１２ａ側（図面右側）の略中央（つまり、上皿底面の幅の略中央）である中点Ｍまで水平に形成された水平底面１１ａと、前記中点Ｍから前記折り返し部１２ａ側（図面右側）に向かって緩やかな登り傾斜が設けられた傾斜底面１０ａ（図５に示すハッチング部分）とが形成されている。補足説明をすると、水平なラインであるＬａに対し、本実施例の傾斜底面１０ａのラインはＨａであり、およそ５分程度の傾斜が設けられている。
【００４７】
また、境界部１３ａ（図５参照）において、前記中点Ｍから折り返し部１２ａ側に向かうにつれ、徐々に大きくなる段差が形成されているが、第１実施例の境界部１３とほぼ同様な構成のため、詳しい説明は省略する。
【００４８】
以上説明した第２実施例の上皿９ａによれば、図６に示すように、既存の上皿にもあった折り返し部１２ａに加えて、上皿底面の中点Ｍから折り返し部１２ａ側（図面右側）まで登り傾斜を設けることにより、玉貸機３０の玉出口３２ａから排出されたパチンコ玉Ｐ３は、上皿９ａの傾斜底面１０ａで跳ね上がるときに、前述したように、遊技領域２側に向かって跳ねるため、上皿９ａの外側に跳び出すことはない。また、パチンコ玉Ｐ１、Ｐ２は、例え、折り返し部１２ａ側に向かって跳ねたとしても、上皿９ａの外側（図面右側）まで距離があるため跳び出すことはない。その結果、遊技者は、上皿９ａからのパチンコ玉の跳び出しを気にすることなく、遊技を行うことができる。
【００４９】
また、上皿底面は、景品玉の出口である景品玉排出口３ａから中点Ｍまで水平な水平底面１１ａとしたので、景品玉排出口３ａ近傍においては、傾斜による玉圧がほとんどかからず、前述した玉流れに影響を及ぼすことはなく、更に、水平底面１１ａにより、前述した段差を無くすことで整流部１５ａ上にあるパチンコ玉に対する玉圧を皆無にする一方、傾斜底面１０ａにより、前述した段差の作用にて玉流れをスムースにすることができ、第１実施例よりも上皿を設計するのが容易である。特に、遊技領域２側にあるパチンコ玉は、折り返し部１２ａ側にあるパチンコ玉より整流部１５ａ上にあるパチンコ玉に対する玉圧は大きいので、水平底面１１ａが遊技領域２側にあることで効果は大となり、同様な理由により折り返し部１２ａ側に傾斜底面１０ａがあることで効果は大となる。その他、第１実施例と同様な構成については、第１実施例と同様な効果を奏するので、説明を省略する。
【００５０】
以上説明した第２実施例では、図６に示すように上皿底面幅の略中央から傾斜を設けているが、これに限定することなく、例えば、遊技領域２側寄りの上皿底面幅の３分の１付近から傾斜を設けたり、遊技領域２と反対側寄りの上皿底面幅の３分の２付近から傾斜を設けてもかまわない。また、水平底面１１ａから傾斜底面１０ａに至るまでを一連に若しくは部分的にアール状に形成しても良く、また、傾斜底面１０ａをアール状に形成しても良い。
【００５１】
なお、第２実施例では、傾斜底面１０ａの傾斜角度を５分としたが、これは限定することなく、およそ３分〜７分程度であればよい。それは、前述したように、第１実施例に比べ玉流れに影響を及ぼすことが少ないので、その分傾斜角度の許容範囲が広くなるからである。
【００５２】
図７は、前記第１実施例に類似する第３実施例の上皿９ｂ平面図であり、図８は、図７におけるＣ−Ｃ断面図である。なお、第３実施例において、第１、第２実施例と同様な構成については、その説明を省略する。図７における上皿底面のうち、ハッチング部分を可動傾斜ユニット１６により構成している。この可動傾斜ユニット１６を図８で説明する。
【００５３】
景品玉排出口底面２０と既存の上皿底面である水平底面１１ｂとの間には、景品玉排出口底面２０と水平底面１１ｂとの段差Ｋが設けられている。この段差Ｋは、景品玉排出口３ｂから排出されるパチンコ玉を支障無く水平底面１１ｂに導出するためにどの上皿にも設けられているものであり、本発明の第３実施例はこの段差Ｋを利用し、予め傾斜を設けて構成された可動傾斜ユニット１６を図８に示すように、上皿９ｂに設置することで、既存の上皿底面上においても傾斜を設けることを可能としたものである。以下、詳細な説明をする。
【００５４】
図８に示した可動傾斜ユニット１６は、可動底面２１の下流側（図面左側）の端部を軸１９を介して土台２２に支持させると共に、可動底面２１の上流側（図面右側）端部の下側には、弾性部材としてのバネ１７がバネ受板１８と可動底面２１との間に装着されて構成されており、可動底面２１は土台２２に対し軸１９を支点にして上下方向に揺動可能になっている。また、図７に示すように、可動傾斜ユニット１６は、平面視した場合、遊技領域２側（図７における上側）が折り返し部１２ｂ側（図７における下側）より幅広に形成された略台形状に構成されており、境界部１３ｂは、平面視した場合、斜線１３ｓを形成している。
【００５５】
このように構成された可動傾斜ユニット１６は、可動底面２１にパチンコ玉による負荷がかかっていないときには、バネ１７の付勢力により軸１９を支点に可動底面２１は押し上げられ、遊技領域２側に向けて下り傾斜（５分程度）を形成する。従って、可動底面２１と水平底面１１ｂとの境目である境界部１３ｂは、図８に示すように、遊技領域２側から折り返し部１２ｂ側に向かうにつれ、徐々に可動底面２１と水平底面１１ｂとの段差（ＤＨ）が大きくなっている。一方、可動底面２１にパチンコ玉による負荷がかかっているときには、可動底面２１の重量（パチンコ玉の重量を含む）がバネ１７の付勢力より大きくなるため、可動底面２１は、図９に示すように、軸１９を支点として揺動し、水平位置に押し下げられる。つまり、可動底面２１と水平底面１１ｂとは、その段差（ＤＬ）が略水平になっている。即ち、可動傾斜ユニット１６は、パチンコ玉による負荷状況により可動底面２１が揺動し、上皿９ｂに対し傾斜底面と水平底面とを形成することができるようになっている。
【００５６】
以上のように、第３実施例の可動傾斜ユニット１６によれば、通常玉貸機３０からパチンコ玉を借り入れるときには、上皿９ｂ（可動底面２１）にパチンコ玉は殆ど残っていない状態であるため、可動底面２１はバネ１７の付勢力により、軸１９を支点に押し上げられた図８のような状態になっている。この状態で玉貸機３０の玉案内体３１ｂから貸し出されたパチンコ玉（図示省略）は、可動底面ユニット１６で跳ねるとき、バネ１７によりパチンコ玉の可動底面２１に対する衝撃をやわらげると共に、全て遊技領域２側に向かって跳ね、前述したように、上皿９ｂの外側に跳び出すことはない。また、可動底面２１上にパチンコ玉が増えてくると、可動底面２１の重量がバネ１７の付勢力より大きくなり、可動底面２１は図９に示すように、軸１９を支点とする水平位置に押し下げられる。このとき、可動底面２１に左右方向の傾斜が無くなるため、傾斜によるパチンコ玉の玉圧が少なくなる。
【００５７】
つまり、実施例１、実施例２においては、上皿底面に傾斜が設けられているため、傾斜によるパチンコ玉の玉圧、即ち整流部１５ｂ上にあるパチンコ玉に対する玉圧が少なからずかかっていたが、実施例３のように、既存上皿底面の所定部分を可動底面２１である可動傾斜ユニット１６とすることにより、上皿９ｂにパチンコ玉が増えてくると、自動的に可動底面２１に傾斜が無くなるため、当該傾斜による玉圧が皆無となり、上皿９ｂにおいて玉流れが悪くなったり、いわゆるブリッジ等の玉詰まりが起こることがない。
【００５８】
また、可動底面２１にパチンコ玉が多くあるときには、遊技者は玉貸機３０からパチンコ玉を借り入れる必要はないので、可動底面２１が水平になっていても問題はない。仮に、玉貸機３０から貸し出されたとしても、貸し出されたパチンコ玉は可動底面２１上ではなく、貯留されているパチンコ玉の上に払い出されるので、払い出されたパチンコ玉は殆ど跳ねることがなく、上皿９ｂの外側に跳び出してしまうことはない。
【００５９】
また、可動底面２１と水平底面１１ｂとの境目に、可動底面２１と水平底面１１ｂとの段差（ＤＨ、ＤＬ）が生じることで（図８、図９参照）、パチンコ玉が可動底面２１から水平底面１１ｂに流下する際、玉流れに勢いが付き、その勢いによって整流部１５ｂまでの玉流れが良くなる。一方、可動底面２１は、前述した略台形形状により境界部１３ｂの箇所が斜線１３ｓとなっており、段差が大きくなる折り返し部１２ｂ側ほど整流部１５ｂから遠くなるように形成されているので、可動底面２１自身を大きく形成しつつ、段差による玉圧で整流部１５上にあるパチンコ玉に対する玉圧を最小限におさえることができ、玉詰まり等を減少させることができる。その他、第１、第２実施例と同様な構成については、第１、第２実施例と同様な効果を奏するので、説明を省略する。
【００６０】
また、図１０に示した傾斜ユニット２３は、第３実施例の変形例であり、該傾斜ユニット２３は、遊技領域２側に向けて下り傾斜を設けて一体成形したものであり、予め上皿９ｂの形状に合わせた傾斜ユニット２３を、景品玉排出口底面２０と水平底面１１ｂとの段差Ｋを利用して上皿９ｂに設置することにより、傾斜ユニット２３の斜面が上皿底面となり、第１、第２実施例と略同様な効果が得られる。
【００６１】
また、傾斜ユニット２３を、上皿９ｂに装着するのに、両面テープやのり等により接着しても良いが、図１０に示したように、傾斜ユニット２３底部分に予めゴム２４を設け、該ゴム２４にて装着するようにすれば、容易且つ強固に傾斜ユニット２３を上皿９ｂに装着することができる。なお、本実施例では、ゴムを使用して説明したが、上皿との装着が容易且つ強固になるものならば良く、例えば、粘着性スポンジや係止爪を利用してもかまわない。
【００６２】
以上説明した第３実施例では、上皿の傾斜部分をユニット化することにより、現在使用されている上皿にも利用可能であるのはもちろんのこと、上皿に合わせて設計変更できるメリットがある。
【００６３】
また、上述した第１，第２、第３実施例の上皿９、９ａ、９ｂでは、パチンコ遊技において入賞したことにより、図示しない景品玉払出装置から払い出される景品玉が、景品玉排出口３、３ａ、３ｂより勢いよく排出されたときにおいても、上述した理由と略同様な理由により、上皿９、９ａ、９ｂから外側へパチンコ玉が跳び出すことを防止することができる。
【図面の簡単な説明】
【図１】パチンコ機全体斜視図。
【図２】本発明における実施例１の上皿を示す平面図。
【図３】図２のＡ−Ａ断面図。
【図４】図２のＡＸ−ＡＸ断面図。
【図５】本発明における実施例２の上皿を示す平面図。
【図６】図５のＢ−Ｂ断面図。
【図７】本発明における実施例３の上皿を示す平面図。
【図８】可動底面を使用した可動底面ユニットを示す図７のＣ−Ｃ断面図の玉無し状態図。
【図９】可動底面ユニットを示す図７のＣ−Ｃ断面図の玉有り状態図。
【図１０】傾斜ユニットを示す図７のＣ−Ｃ断面図の玉無し状態図。
【図１１】従来の上皿を示す平面図。
【図１２】図１１のＪ−Ｊ断面図。
【図１３】従来の上皿底面におけるパチンコ玉の跳ね返り例を示す説明図。
【符号の説明】
１…パチンコ機
２…遊技領域
３・３ａ・３ｂ…景品玉排出口
９・９ａ・９ｂ・１０９…上皿
１０・１０ａ…傾斜底面
１１・１１ａ・１１ｂ・１１１…水平底面
１２・１２ａ・１２ｂ・１１２…折り返し部
１３・１３ａ・１３ｂ…境界部
１３ｓ…斜線
１４・１４ａ・１４ｂ・１１４…カバー部
１４ｋ・１１４ｋ…傾斜壁
１５・１５ａ・１５ｂ・１１５…整流部
１６…可動傾斜ユニット
１７…バネ
１８…バネ受板
１９…軸
２０…景品玉排出口底面
２１…可動底面
２２…土台
２３…傾斜ユニット
２４…ゴム
３０…玉貸機
３１・３１ａ・３１ｂ・１３１…玉案内体
３２・３２ａ・３２ｂ・１３２…玉出口
Ｐ１，Ｐ２，Ｐ３…パチンコ玉
Ｘａ、ＤＬ、ＤＨ、Ｋ…段差
Ｌａ、Ｈａ、Ｌ、Ｈ…ライン
Ｍ…中点
【図１】
0004581166.tif 000002
【図２】
0004581166.tif 000003
【図３】
0004581166.tif 000004
【図４】
0004581166.tif 000005
【図５】
0004581166.tif 000006
【図６】
0004581166.tif 000007
【図７】
0004581166.tif 000008
【図８】
0004581166.tif 000009
【図９】
0004581166.tif 000010
【図１０】
0004581166.tif 000011
【図１１】
0004581166.tif 000012
【図１２】
0004581166.tif 000013
【図１３】
0004581166.tif 000014